(57)【特許請求の範囲】
【請求項１】
液体を貯留する貯液空間を内部に備える容器本体と、
前記容器本体の内底部に形成され、前記貯液空間に向かって膨出した膨底部と、
前記膨底部の表面に複数の半球状の凹部が刳設されたディンプル部と、
を有する液体容器。
【請求項２】
前記容器本体及び前記ディンプル部は、
一体的に形成されてなる請求項１に記載の液体容器。
【請求項３】
前記内底部の辺縁及び前記膨底部の間に形成され、前記内底部から前記貯液空間に向かって隆起した１または複数の隆起壁を更に有する請求項１または２に記載の液体容器。
【請求項４】
液体容器の内底部に装着可能に形成され、
膨底部と、
前記膨底部の表面に複数の半球状の凹部が刳設されたディンプル部と、
を有する液体容器に装着可能な撹拌具。
【発明の詳細な説明】
【技術分野】
【０００１】
本発明は、液体容器、及び液体容器に装着可能な撹拌具に関する。更に詳しくは、撹拌機能を備えた液体容器、及び液体容器に事後的に撹拌機能を付与することの可能な液体容器に装着可能な撹拌具に関する。
【背景技術】
【０００２】
従来、粉末状の抹茶やインスタントコーヒー等の粉体をお湯や水等の液体に溶かしたり、粉末緑茶及び大麦青葉等から養分を抽出したりする場合、湯呑みやコップ等の容器に投入した粉体にお湯等を注ぎ込み、その後、さじやスプーン等で掻き混ぜて撹拌することが行われている。これにより、お湯等に粉体が均一に溶解、撹拌され、飲用に適したものとなり、或いは、粉末緑茶等から養分が均一に抽出されることになる。また、ウイスキーや焼酎等のアルコールをお湯や水等で割る場合のように、二種類以上の液体を混合する際にもマドラー等の撹拌具が用いられている。
【０００３】
しかしながら、スプーンやマドラー等が周囲に見当たらず、これらをキッチン等まで探す場合があり、この行動を面倒に感じることがあった。更に、使用後のスプーンやマドラー等を洗浄する必要があり、喫茶店やスナック等の飲食店のように、大量のスプーン等を取り扱う業態では、これらの洗浄作業に多くの時間を要したり、煩雑に感じることがあった。そこで、これらの面倒な行動や煩雑な作業を可能な限り省略するために、撹拌具を使用せず、粉体及び液体等を撹拌混合することができる装置または容器の開発が臨まれている。
【０００４】
例えば、二種類以上の液体を混合可能な「液体混合物混合装置」が提案されている（特許文献１参照）。これによると、直径方向に対向した２つの直立羽根がタンブラーの内壁に沿ってそれぞれ設けられ、更に当該直立羽根がタンブラーの反対側に向かって下方に延び、かつタンブラーの底壁と合併してなるものが提案されている。なお、二つの直立羽根は、時計方向に向かって形成された２つの肩（ないし面）の第１組と、反時計回転方向に向かって形成された２つの肩（ないし面）の第２の組とから構成されている。
【０００５】
これによると、タンブラーをテーブル等に置いた状態で、例えば、時計回転方向に回転させることにより、タンブラーに注がれた内部の液体が、当該液体中に突出した二つの直立羽根によって回転方向への移動が規制される。すなわち、タンブラーの内壁に沿って移動しようとする液体は、二つの直立羽根の一部と衝突し、回転方向への移動が妨げられる。そして、直立羽根との衝突によって、流れが乱されることにより、当該部位で乱流が発生する。これにより、乱流状態となった液体の複雑な挙動によって、液体中に投入された固形物（粉体）等が溶解しやすくなる。そのため、スプーン等の撹拌具を用いる必要がない。
【０００６】
なお、粉末緑茶や大麦青葉等は、粉末状の抹茶等のように、お湯や水等に完全に溶解するものではなく、当該粉末緑茶等の養分を抽出した液体（と滋養のある粉体の茶葉等も一緒に）飲用するものである。そのため、粉末緑茶等を撹拌しても、直ぐに沈殿するため、湯呑み等の内底に溜まった粉末緑茶等を再び撹拌する必要がある。すなわち、これらの飲用時において上記スプーン等の撹拌具を複数回に亘って使用する必要があった。そのため、飲用時に係るスプーン等が邪魔になることがあった。
【先行技術文献】
【特許文献】
【０００７】
【特許文献１】特公昭４４−２０７０７号公報
【発明の概要】
【発明が解決しようとする課題】
【０００８】
しかしながら、上記特許文献１に開示された液体混合物混合装置の場合、２つの直立羽根の上端がタンブラーの上端近傍まで延びていた。そのため、タンブラーを所定方向（例えば、時計回転方向）に回転させた場合、タンブラーの上部近傍において上記乱流が発生することとなり、タンブラーの上部近傍の液体が外部に飛散する可能性があった。そのため、タンブラーの周囲が飛散した液体によって汚れ、反って面倒な作業が必要となることがあった。加えて、２つの直立羽根のひねり角度や障壁となる直立羽根の肩（ないし面）の高さの調整が必要となり、タンブラーの製作に手間がかかり、製造コストが高くなる可能性があった。
【０００９】
特に、粉末緑茶等の養分を液体に抽出して飲用する場合、前述したように、沈殿した茶葉等を何度も撹拌する操作を繰り返す必要があり、当該撹拌操作を簡便に行うことができる撹拌具の開発が期待されている。
【００１０】
本発明は、上記従来の実情に鑑みてなされたものであり、スプーン等の撹拌具を必要とすることがなく、粉体及び液体、或いは液体同士を容易に撹拌混合することができるとともに、液体が外部に飛散するおそれが少なく、かつ、製造コストを低く抑えることが可能な液体容器の提供を課題とするものである。
【課題を解決するための手段】
【００１１】
本発明によれば、下記に掲げる液体容器が提供される。
【００１２】
［１］液体を貯留する貯液空間を内部に備える容器本体と、前記容器本体の内底部に形成され、前記貯液空間に向かって膨出した膨底部と、前記膨底部の表面に複数の半球状の凹部が刳設されたディンプル部と、を有する液体容器。
【００１３】
［２］前記容器本体及び前記ディンプル部は、一体的に形成されてなる前記［１］に記載の液体容器。
【００１５】
［４］前記内底部の辺縁及び前記膨底部の間に形成され、前記内底部から前記貯液空間に向かって隆起した１または複数の隆起壁を更に有する前記［１］または［２］に記載の液体容器。
【００１６】
［５］液体容器の内底部に装着可能に形成され、膨底部と、前記膨底部の表面に複数の半球状の凹部が刳設されたディンプル部と、を有する液体容器に装着可能な撹拌具。
【発明の効果】
【００１７】
本発明の液体容器によれば、粉体及び液体、或いは液体同士の撹拌混合、茶葉等からの養分の抽出を容易に行うことができ、液体の外部への飛散を抑え、かつ、製造コストを廉価にすることができる。
【図面の簡単な説明】
【００１８】
【図１】本発明の一実施形態の液体容器の構成を示す平面図である。
【図２】液体容器の容器内部の概略構成を示す側方から視た説明図である。
【図３】ディンプル部による粉体及び液体の挙動を模式的に示す説明図である。
【図４】本発明の別例の液体容器の構成を示す平面図である。
【図５】図４に示す別例の液体容器の容器内部の概略構成を示す側方から視た説明図である。
【図６】本発明の別例の液体容器の構成を示す平面図である。
【図７】図６に示す別例の液体容器の容器内部の概略構成を示す側方から視た説明図である。
【発明を実施するための形態】
【００１９】
以下、図面を参照しつつ本発明の一実施形態について説明する。なお、本発明は、以下の実施形態に限定されるものではなく、本発明の趣旨を逸脱しない範囲において、当業者の通常の知識に基づいて、以下の実施形態に対して適宜変更、修正、改良等を加えるものであっても構わない。
【００２０】
図１は、本発明の一実施形態の液体容器の構成を示す平面図である。更に、図２は、液体容器の容器内部の概略構成を示す側方から視た説明図であり、図３は、ディンプル部における粉体及び液体の挙動を模式的に示す説明図であり、図４は本発明の別例の液体容器の構成を示す平面図であり、図５は、図４に示す別例の液体容器の容器内部の概略構成を示す側方から視た説明図であり、図６は、本発明の別例の液体容器の構成を示す平面図であり、図７は、図６に示す別例の液体容器の容器内部の概略構成を示す側方から視た説明図である。
【００２１】
本実施形態の液体容器１は、図１〜図３に示すように、液体１０１を貯留可能な貯液空間１１を内部に備える容器本体１０と、容器本体１０の内底部１２に形成されたディンプル部２０と、を主に有している。ここで、本実施形態において、液体容器１は、粉末状の抹茶からなる粉体１００をお湯からなる液体１０１に溶かし、飲用するために使用される“湯呑み”を想定し、以下の説明を行うものとする。更に、湯呑みとして使用される液体容器１は、陶器製であり、容器本体１０及びディンプル部２０は焼成により一体的に形成されたものを想定する。
【００２２】
容器本体１０の内底部１２は、円形状の辺縁１２ａから貯液空間１１に向かって上方に膨出してなる略半球状の膨底部１３を備えている。この膨底部１３の表面１３ａに前述したディンプル部２０が形成されている。本実施形態の液体容器１において、内底部１２の辺縁１２ａと、膨底部１３の辺縁１３ｂとが一致している。
【００２３】
また、内底部１２の辺縁１２ａ（膨底部１３の辺縁１３ｂ）から膨底部１３の頂部１３ｃまでの高さＨは、約８ｍｍ〜１０ｍｍ程度に設定されている（図２参照）。図２において、膨底部１３を明確に示すため、係る高さＨを若干誇張したものを示している。
【００２４】
容器本体１０は、図２に示すように、上方に開口し、液体１０１の飲み口となる円形状の開口部１４を上部に備え、当該開口部１４の開口径に対して底部１５（内底部１２）の側が縮径した形状を呈している。したがって、開口部１４から底部１５に向かって容器本体１０の側壁面１６が側方視で傾斜した、断面略台形状に構成されている。この容器本体１０によって、開口部１４と連通する容器内部に、貯液空間１１が形成され、当該貯液空間１１に液体１０１を注ぎ入れることができる。
【００２５】
ここで、容器本体１０の形状は、特に限定されるものではなく、貯液空間１１に注ぎ入れた液体１０１が漏出することなく、貯留できるものであれば構わない。更に、開口部側及び底部側のそれぞれの径を一致させた略円筒状のものであってもよく、容器本体の側壁面に取付けられたリング状の把手部を備え、コーヒーや紅茶等の飲用に適する形状のものであってもよい。加えて、飲用の液体を貯留するものに限定されるものではなく、二種類以上の薬品を混合するなど工業的に利用可能な貯液容器であってもよい。
【００２６】
一方、ディンプル部２０は、膨底部１３の表面１３ａに複数の略半球状の凹部２１が刳設されたものであり、複数の凹部２１は予め規定された配列に従って規則正しく配置されている。膨底部１３にディンプル部２０が設けられることにより、恰もゴルフボールの一部と類似する形状が、容器本体１０の内底部１２に備わったものとなる。凹部２１の刳設深さや凹部２１の形状、配置数、配置間隔、及び配列規則などは任意に設定することができる。
【００２７】
すなわち、膨底部１３の表面１３ａに少なくとも半球状に窪んだ凹凸からなる凹部２１が複数形成されているものであればよい。また、膨底部１３に設けられる凹部２１の形状や大きさを統一する必要がなく、例えば、膨底部１３の辺縁１３ｂ近傍及び頂部１３ｃ近傍においてこれらの形状等をそれぞれ異なるように変化させるものであってもよい。
【００２８】
次に、本実施形態の液体容器１の使用方法について説明する。始めに、容器本体１０の貯液空間１１に粉末状の抹茶の粉体１００を所定量投入し、その後、当該貯液空間１１に適量の液体１０１（お湯）を注ぐ。これにより、貯液空間１１には、粉体１００及び液体が混在した状態となる。この状態では、何ら撹拌操作が行われていないため、粉体１００は液体１０１にほとんど撹拌溶解しておらず、比重の違いによって粉体１００が容器本体１０の内底部１２、膨底部１３、或いはディンプル部２０の凹部２１等に沈んでいる。
【００２９】
この状態で、スプーン等の撹拌具を用いることなく、粉体１００を液体１０１に溶解させる操作を行う。具体的には、本実施形態の液体容器１をテーブル（図示しない）に載置し、底部１５をテーブルに接触させた状態で、所定の回転方向（例えば、時計回転方向（図２参照））に回転させる。係る操作によって、貯液空間１１内の液体１０１は、貯液空間１１の側壁面１６の内面に沿って回転円運動をしようとする力が作用する。
【００３０】
ここで、本実施形態の液体容器１において、膨底部１３及びディンプル部２０の構成を備えない、通常の“湯呑み”の例について説明する。これによると、通常の湯呑み（液体容器）の場合、上記操作に伴って、湯呑み内部の液体は、貯液空間内を回転円運動する。このとき、液体の回転円運動を妨げる構成は貯液空間内に存在しない。
【００３１】
したがって、液体は貯液空間内を“層流”として移動する。係る場合、貯液空間の中心付近では、液体移動に係る角速度は遅くなり、一方、貯液空間の外周付近（側壁面の内面近傍）では、液体移動に係る角速度は速くなる傾向が知られている。
【００３２】
そのため、湯呑みの底に滞留した抹茶等の粉体は、角速度の遅い中心付近に集まりやすくなる。したがって、湯呑みを時計方向に回転させる撹拌操作を継続しても、角速度に集まった粉体が溶け残る可能性が高い。すなわち、液体が回転円運動をする際に、当該液体が“層流”としての挙動を示す場合には、十分な撹拌効果を得ることができない。
【００３３】
そこで、十分な撹拌効果を得るためには、液体を“乱流”として挙動させる必要がある。液体を乱流の状態とするためには、通常“湯呑み”を高速で回転させるなど、激しい動きを湯呑みに対して付与する必要がある。しかしながら、当該動きを継続して湯呑みに付与することは困難であった。更に、激しい動きを加えると、遠心力等の効果によって湯呑みの縁から液体が飛散する可能性があった。
【００３４】
これに対し、本実施形態の液体容器１は、膨底部１３及びディンプル部２０に係る構成を備えている。これにより、粉体１００及び液体１０１を簡易な操作で良好に混合させることができる。
【００３５】
すなわち、複数の凹部２１によってゴルフボール態様の形状に形成されたディンプル部２０は、物体の臨界レイノルズ数を下げる効果を有している。貯液空間１１における液体１０１及び粉体１００の挙動を物理的に以下において説明する。臨界レイノルズ数とは、“層流”が“乱流”に遷移するときのレイノルズ数を示すものである。
【００３６】
臨界レイノルズ数が下がることにより、通常よりも低い速度で“乱流”を発生させることができる。また、“乱流”は、膨底部１３の表面１３ａからの液体１０１の剥離を防ぐ効果を有し、液体１０１に対する抵抗を抑え、かつ、所定の回転円運動による角速度でマグヌス効果（詳細は後述する。）を増幅させることができる。
【００３７】
したがって、図３に模式的に示すように、膨底部１３の表面１３ａに設けられた略半球状の複数の凹部２１の存在によって、当該凹部２１の近傍を流れる液体１０１の液流Ｆは、ディンプル効果の作用を受けて凹部２１の曲面に沿って流れる第一液流Ｆ１と、当該凹部２１の上方を通過する第二液流Ｆ２とに分岐し、更に曲面の終端位置で第一液流Ｆ１及び第二液流Ｆ２が再び合流し衝突することとなる。これにより、液体１０１の液流Ｆに乱れが生じ、“乱流”を発生させる。
【００３８】
加えて、凹部２１の曲面に沿って流れる第一液流Ｆ１は、そのまま凹部２１の上方に向けて跳ね上げられ、重力に従って弧を描くように凹部２１の近傍に戻る流れ（第三液流Ｆ３）を生じさせる。なお、合流及び衝突した第一液流Ｆ１及び第二液流Ｆ２は、再び、液体１０１の液流として膨底部１３の表面１３ａに沿って流れ、隣接する凹部２１に対して上記と同様の分流及び合流を繰り返すこととなる。
【００３９】
これにより、ディンプル部２０の近傍において液体１０１の液流Ｆに複雑な挙動が発生し、“乱流”の状態が継続する。これにより、容器本体１０の内底部１２等の近傍に沈んだ粉体１００が、液体１０１の活発かつ複雑な動きに応じて上方に持ち上げられ、スプーン等の撹拌具で掻き混ぜた撹拌操作と類似の状態が創成される。その結果、液体１０１に対して粉体１００が溶けることとなる。なお、粉体１００の種類によっては、液体１０１に対して完全に溶解することなく、撹拌により粉体１００中の養分が液体１０１に抽出される。養分を抽出した粉体も滋養があり、撹拌しながら抽出液と同時に摂取できる。
【００４０】
なお、マグヌス効果とは、流体中に置かれた回転体が揚力を得る効果である。本実施形態の液体容器１の場合、容器本体１０を時計回転方向ＣＷに回転させる動きに伴って、ディンプル部２０の近傍でマグヌス効果を生じ、粉体１００を上方に持ち上げようとする作用が働く。そのため、上記撹拌の効果がより得られることとなる。
【００４１】
更に、本実施形態の液体容器１の場合、内底部１２に貯液空間１１に向かって上方に膨出した膨底部１３を備えている。そのため、回転円運動に伴って貯液空間１１の中心付近の角速度が遅くなり、係る中心付近（頂部１３ｃ）に集まりやすい傾向の粉体１００の移動を抑制することができる。
【００４２】
すなわち、頂部１３ｃに粉体１００が到達するためには、内底部１２の辺縁１２ａから頂部１３ｃに向かう傾斜を重力に抗しながら移動する必要があり、頂部１３ｃへの到達は容易ではない。そのため、大部分の粉体１００は外周付近に存在し、撹拌されることになる。加えて、頂部１３ｃへ到達するまでに、上述したディンプル効果やマグヌス効果の影響を受けることとなる。
【００４３】
したがって、粉体１００は、回転円運動する液体１０１の中に取り込まれ易くなり、粉体１００の溶け残りが発生することがない。本実施形態の液体容器１によれば、粉体１００及び液体１０１を貯液空間１１に投入し、液体容器１全体を回転させる操作を行うことで、比較的に低速であっても貯液空間１１内に乱流を生じさせることができ、当該乱流による複雑な挙動、ディンプル効果、及びマグヌス効果を発揮させることで、スプーン等の撹拌具を用いることなく、良好な撹拌混合をすることができる。すなわち、液体容器１に撹拌機能を持たせることができる。
【００４４】
更に、乱流を発生させるための膨底部１３及びディンプル部２０の構成が容器本体１０の内底部１２の近傍に設置されている。そのため、回転円運動をする場合であっても、液体１０１の上部側（開口部１４に近傍）ではそれほど流れに乱れを生じることがない。したがって、開口部１４から液体１０１が外部に飛散する可能性が小さくなり、液体容器１の周囲を汚すおそれもない。
【００４５】
次に、本発明の別例構成の液体容器３０について、主に図４及び図５に基づいて説明する。ここで、別例構成の液体容器３０において、既に説明した液体容器１と同一構成については、同一番号を付し、詳細な説明は省略するものとする。
【００４６】
別例構成の液体容器３０は、図４及び図５に示すように、容器本体１０の平面状の内底部３１に複数の半球状の凹部２１が規則正しく配置されたディンプル部２０を有して構成されている。すなわち、本実施形態の液体容器１における膨底部１３の構成を省略し、平面状の内底部３１にディンプル部２０を施したものである。
【００４７】
上記構成の液体容器３０であっても、本実施形態の液体容器１と同様に、粉体１００及び液体１０１の撹拌効果を発揮することができる。すなわち、膨底部１３のように、粉体１００が角速度の遅い中心付近に集まることを規制する効果を有しないものの、当該中心付近には凹部２１からなるディンプル部２０が設けられていることにより、係るディンプル部２０のディンプル効果等によって十分に粉体１００の撹拌が可能となる。
【００４８】
別例構成の液体容器３０は、既存の湯呑み等の液体容器に対して、ディンプル部２０を構築することができるため、製造上の困難性を有していない。そのため、製造コストを比較的抑えることができる。また、既存の湯呑み等に対して改造を施して液体容器３０を形成することができる。
【００４９】
本発明の更なる別例構成の液体容器４０について、図６及び図７に基づいて説明する。ここで、液体容器３０と同様に、既に説明した本実施形態の液体容器１と同一構成については、同一番号を付し、詳細な説明は省略するものとする。
【００５０】
更なる別例構成の液体容器４０は、容器本体１０の内底部４１の辺縁４１ａと、膨底部４２の辺縁とが一致しないものから構成され、内底部４１の辺縁４１ａ及び膨底部４２の間に平らな底面部４１ｂが形成されている。更に、上方視略三角形状を呈する四つの隆起壁４３ａ，４３ｂ，４３ｃ，４３ｄが膨底部４２を中心に９０°間隔で四方向に延びるように設けられている。
【００５１】
ここで、隆起壁４３ａ，４３ｂ，４３ｃ，４３ｄの外側に向いた先端４４ａは、内底部４１の辺縁４１ａと接続し、その他の先端４４ｂ，４４ｃは及び当該先端４４ｂ，４４ｃを繋ぐ曲辺４５は膨底部４２の表面４２ａと当接している。これにより、平らな底面部４１ｂに対し、上記隆起壁４３ａ等が側方視で貯液空間１１に向かって上方に隆起した構造となる（図７参照）。すなわち、膨底部４２の周囲に略十字状の隆起壁４３ａ等が設けられている。
【００５２】
隆起壁４３ａ等の構成を備えることにより、液体容器４０に回転円運動を加えた場合、内底部４１の中心付近では、前述した膨底部４２及びディンプル部２０による効果を得ることができ、更に、外周近傍では底面部４１ｂ及び隆起壁４３ａ等による液体１０１の層流としての移動が規制される。その結果、液体１０１が内底部４１の近傍で乱流となり、貯液空間１１内における液体１０１の挙動をより複雑なものとすることができる。その結果、粉体１００及び液体１０１の撹拌効果が高められる。
【００５３】
以上、本発明において好適な実施形態の液体容器１、及び別例構成の液体容器３０，４０を用いて説明したが、本発明はこれらの実施形態等に限定されるものではない。
【００５４】
例えば、液体容器１を陶器製の一体的に構成されるものを示したが、これに限定されるものではなく、液体容器１等を構成する材質は、ガラス、合成樹脂、及び金属、その他種々の周知の材質のものであってよい。また、単一の材質から構成する必要はなく、各構成毎に異なる材質を使用するものであってもよい。
【００５５】
更に、容器本体１０及びディンプル部２０を一体的に構成する必要はなく、複数の凹部２１を備えるディンプル部２０からなる本発明の撹拌具（液体容器に装着可能な撹拌具）を個別に形成し、既存の湯呑み等の内底に装着して使用するものであってもよい。係る場合、既存の湯呑み等を用いることが可能であり、製造コストを廉価に抑えることができる。例えば、食品衛生上の問題を生じることのないシリコーン樹脂等から上記撹拌具を構成し、湯呑み等に装着することができる。この場合、撹拌具は、本実施形態の液体容器１において示した膨底部の表面にディンプル部を形成したものであっても、別例構成の液体容器３０において示したように、平板状の板部材にディンプル部を形成したものであっても、或いは、液体容器４０のように、平板状のディンプル部の周囲に隆起部を設けたものであっても構わない。なお、湯呑み等の液体容器との装着は、シリコーン樹脂の弾性力を利用した周知の脱着機構等により行うことができる。
【００５６】
これにより、複数の凹部２１を有し、汚れの付着しやすいディンプル部２０のみを取り外して洗浄することができ、洗浄作業が容易となる。かつ、凹部２１の形状及び深さ、及び数等の異なる複数のディンプル部２０を容易し、混合対象となる粉体１００や液体１０１の種類に応じ、適したディンプル部２０を装着し、撹拌操作を行うこともできる。
【００５７】
更に、別例構成の液体容器４０として、四つの隆起壁４３ａ等を備え、膨底部４２を中心として９０°間隔で配置された略十字状のものを示したが、隆起壁４３ａ等の数、形状、及び配置等はこれに限定されるものではない。容器本体１０の内底部４１の辺縁４１ａ及び膨底部４２の間に設けられ、液体１０１の液流Ｆを乱すものであれば構わない。
【００５８】
また、本実施形態の液体容器１において、撹拌対象として粉末状の抹茶を想定し、主に説明を行ったがこれに限定されるものではなく、液体に対して粉体を完全に溶解させるものでなくても構わない。すなわち、粉末緑茶や大麦青葉等の茶葉に含まれる養分を抽出し（た抽出液と滋養ある粉体の茶葉等も同時に）飲用する場合にも本発明の液体容器または撹拌具を使用することができる。これにより、液体の飲用時に撹拌操作を繰り返すことにより、茶葉に含まれる養分が抽出され、常に均一の濃度で緑茶等を飲用することができる（と同時に滋養ある粉体の茶葉等を飲むことができる）。
【産業上の利用可能性】
【００５９】
本発明の液体容器１等は、抹茶やインスタントコーヒーを飲用する際に用いる湯呑みやコーヒーカップ等を製造する食器製造業等での利用可能性を有している。
【符号の説明】
【００６０】
１，３０，４０：液体容器、１０：容器本体、１１：貯液空間、１２，３１，４１：内底部、１２ａ，１３ｂ，４１ａ：辺縁、１３，４２：膨底部、１３ａ，４２ａ：表面、１３ｃ：頂部、１４：開口部、１５：底部、１６：側壁面、２０：ディンプル部、２１：凹部、４１ｂ：底面部、４３ａ，４３ｂ，４３ｃ，４３ｄ：隆起壁、４４ａ，４４ｂ，４４ｃ：先端、４５：曲辺、１００：粉体、１０１：液体、ＣＷ：時計回転方向、Ｆ：液流、Ｆ１：第一液流、Ｆ２：第二液流、Ｆ３：第三液流、Ｈ：高さ。
【図１】
0006486681.tif 000002
【図２】
0006486681.tif 000003
【図３】
0006486681.tif 000004
【図４】
0006486681.tif 000005
【図５】
0006486681.tif 000006
【図６】
0006486681.tif 000007
【図７】
0006486681.tif 000008